(57)【特許請求の範囲】
【請求項１】
前後対称に地面に固定的に装着された固定柵を含み、前後両側の前記固定柵の間には中間隔離板が固定的に装着され、前記中間隔離板には仕切門がヒンジで装着され、前記仕切門を開ければ前記中間隔離板の左右両側を連通させられ、前記中間隔離板の左右両側にある家畜の活動に便利を与えられ、前記固定柵の底面にはガイドレールが前後対称にかつ固定的に装着され、前後の前記ガイドレールには移動筐体が左右対称にかつ摺動可能に装着され、左右の前記移動筐体には移動柵が固定的に装着され、前記移動柵は前記中間隔離板の方向へ移動するときに、家畜を前記中間隔離板の他側へ追い払うことができ、前記移動筐体の一側面には清掃空間が設置され、前記清掃空間の中には地面を清掃できる清掃機構が設置され、
前記清掃機構は清掃盤を含み、前記清掃盤は前記清掃空間の中に前後対称にかつ回転可能に装着され、前記清掃盤には清掃ブラシが設置され、前記清掃盤は前記清掃ブラシを駆動して回転させ、前記清掃ブラシに地面についた汚物を清掃させられ、前記移動筐体の中には前記清掃空間と連通する搬送空間が設置され、前記搬送空間の中には地面の汚物を搬送できる搬送機構が設置され、
前記搬送機構は清掃筒軸を含み、前記清掃筒軸は前記搬送空間の中に回転可能に設置され、前記清掃筒軸には掃除ブラシが設置され、前記搬送空間の中には第一搬送筒と第二搬送筒とが回転可能に装着され、前記第一搬送筒と前記第二搬送筒との間には搬送ベルトが伝動可能に装着され、前記清掃筒軸が前記掃除ブラシを駆動して回転させるときに、地面の汚物は前記搬送ベルトに送られ、前記移動筐体の一側面には汚物収納車がヒンジで装着され、前記搬送ベルトは汚物を前記汚物収納車に送って収集し、そして送り出し、前記移動筐体には前記移動筐体を駆動して左右に移動させられる移動機構が設置されていることを特徴とする家畜舎の清掃に便利な牧畜隔離柵。
【請求項２】
前記清掃機構はさらに清掃モータを含み、前記清掃モータは前記清掃空間の頂壁の中に前後対称にかつ固定的に装着され、前記清掃モータの出力軸には清掃盤軸が固定的に装着され、前記清掃盤軸は前記清掃盤と固定的に連結されていることを特徴とする請求項１に記載の家畜舎の清掃に便利な牧畜隔離柵。
【請求項３】
前記清掃空間の頂壁には第三搬送筒軸が回転可能に装着され、前記第三搬送筒軸には第一プーリが固定的に装着され、前記清掃盤軸には第二プーリが固定的に装着され、前記第二プーリと前記第一プーリとの間にはベルトが伝動可能に装着され、前記第三搬送筒軸には第三搬送筒が固定的に装着され、前記清掃空間の頂壁には第四搬送筒が回転可能に装着され、前記第四搬送筒と前記第三搬送筒との間には清掃ベルトが伝動可能に装着され、前記清掃ベルトには清掃板が固定的に装着されていることを特徴とする請求項１に記載の家畜舎の清掃に便利な牧畜隔離柵。
【請求項４】
前記搬送機構はさらに搬送モータを含み、前記搬送モータは前記搬送空間の後側内壁の中に固定的に装着され、前記搬送モータの出力軸には第一プーリ軸が固定的に装着され、前記第一プーリ軸と前記第一搬送筒とは固定的に連結され、前記搬送空間の後側には第一歯車空間が設置され、前記第一歯車空間と前記搬送空間との間には第二プーリ軸が回転可能に装着され、前記第二プーリ軸と前記第二搬送筒とは固定的に連結され、前記移動筐体の一側面にはガイド板が固定的に装着され、前記搬送空間の前後内壁の間にはガイド輪が回転可能に装着され、前記搬送ベルトは前記ガイド輪に巻かれていることを特徴とする請求項３に記載の家畜舎の清掃に便利な牧畜隔離柵。
【請求項５】
前記第二プーリ軸には刮げ板が回転可能に装着され、前記刮げ板と前記移動筐体との間には引張ばねが固定的に装着され、前記刮げ板には引き線が固定的に装着され、前記引き線には円環が固定的に装着され、前記移動筐体の一側面にはフックが固定的に装着され、前記円環は前記フックに掛けられることを特徴とする請求項４に記載の家畜舎の清掃に便利な牧畜隔離柵。
【請求項６】
前記第一歯車空間と前記搬送空間との間には清掃筒軸が回転可能に装着され、前記清掃筒軸と前記清掃筒とは固定的に連結され、前記清掃筒軸には第一歯車が固定的に装着され、前記第一歯車空間の前後内壁の間には中間歯車が回転可能に装着され、前記中間歯車と前記第一歯車とは噛み合い、前記第二プーリ軸には第二歯車が固定的に装着され、前記第二歯車と前記中間歯車とは噛み合っていることを特徴とする請求項５に記載の家畜舎の清掃に便利な牧畜隔離柵。
【請求項７】
前記汚物収納車には連結ヘッドが摺動可能に装着され、前記移動筐体の一側面には前記移動筐体の外側面と連通する連結空間が設置され、前記連結空間の底面には連結ピンが固定的に装着され、前記連結ヘッドは前記連結ピンに掛けられることを特徴とする請求項１に記載の家畜舎の清掃に便利な牧畜隔離柵。
【請求項８】
前記移動機構は第二歯車空間を含み、前記第二歯車空間は前記移動筐体の前後側面に前後対称に設置され、前記第二歯車空間の内壁の中には移動モータが固定的に装着され、前記移動モータの出力軸には移動歯車が固定的に装着され、前記ガイドレールにはラックが設置され、前記移動歯車と前記ガイドレールにあるラックとは噛み合っていることを特徴とする請求項６に記載の家畜舎の清掃に便利な牧畜隔離柵。
【発明の詳細な説明】
【技術分野】
【０００１】
本願発明は牧畜分野を取り上げ、特に家畜舎の清掃に便利な牧畜隔離柵に関わる。
【背景技術】
【０００２】
多くの牧畜場において、家畜は基本的に家畜舎で柵に囲まれて飼育され、このような飼育方法は確かに飼育に必要な空間を減らせるが、飼育期間で、家畜舎には糞尿などの汚物が大量に残され、そしてばい菌はそこから生み出され、家畜の健康状態ないし成長に悪影響を与える。
現在、数多くの家畜舎の衛生状態は人力で保たれるが、清掃時に、糞尿などによる異臭はなかなか耐えられるものではなく、また、家畜舎周辺の柵は内部空間を完全に囲み、任意に調整することができなく、さらに清掃に不便を与え、そのため、清掃効果が限られ、特に汚物の排出には手間をかける。
【先行技術文献】
【特許文献】
【０００３】
【特許文献１】中国特許出願公開第１０８７１９０９１号明細書
【発明の概要】
【発明が解決しようとする課題】
【０００４】
本願発明は家畜舎の清掃に便利な牧畜隔離柵を提供し、既存技術における上記の問題を解消することを目的とする。
【課題を解決するための手段】
【０００５】
本願発明の家畜舎の清掃に便利な牧畜隔離柵の実施例は、前後対称に地面に固定的に装着された固定柵を含み、前後両側の前記固定柵の間には中間隔離板が固定的に装着され、前記中間隔離板には仕切門がヒンジで装着され、前記仕切門を開ければ前記中間隔離板の左右両側を連通させられ、前記中間隔離板の左右両側にある家畜の活動に便利を与えられ、前記固定柵の底面にはガイドレールが前後対称にかつ固定的に装着され、前後の前記ガイドレールには移動筐体が左右対称にかつ摺動可能に装着され、左右の前記移動筐体には移動柵が固定的に装着され、前記移動柵は前記中間隔離板の方向へ移動するときに、家畜を前記中間隔離板の他側へ追い払うことができ、前記移動筐体の一側面には清掃空間が設置され、前記清掃空間の中には地面を清掃できる清掃機構が設置されている。
【０００６】
前記清掃機構は清掃盤を含み、前記清掃盤は前記清掃空間の中に前後対称にかつ回転可能に装着され、前記清掃盤には清掃ブラシが設置され、前記清掃盤は前記清掃ブラシを駆動して回転させ、前記清掃ブラシに地面についた汚物を清掃させられ、前記移動筐体の中には前記清掃空間と連通する搬送空間が設置され、前記搬送空間の中には地面の汚物を搬送できる搬送機構が設置されている。
【０００７】
前記搬送機構は清掃筒軸を含み、前記清掃筒軸は前記搬送空間の中に回転可能に設置され、前記清掃筒軸には掃除ブラシが設置され、前記搬送空間の中には第一搬送筒と第二搬送筒とが回転可能に装着され、前記第一搬送筒と前記第二搬送筒との間には搬送ベルトが伝動可能に装着され、前記清掃筒軸が前記掃除ブラシを駆動して回転させるときに、地面の汚物は前記搬送ベルトに送られ、前記移動筐体の一側面には汚物収納車がヒンジで装着され、前記搬送ベルトは汚物を前記汚物収納車に送って収集し、そして送り出し、前記移動筐体には前記移動筐体を駆動して左右に移動させられる移動機構が設置されている。
【０００８】
上記の技術的解決策の上で、前記清掃機構はさらに清掃モータを含み、前記清掃モータは前記清掃空間の頂壁の中に前後対称にかつ固定的に装着され、前記清掃モータの出力軸には清掃盤軸が固定的に装着され、前記清掃盤軸は前記清掃盤と固定的に連結されている。
【０００９】
上記の技術的解決策の上で、前記清掃空間の頂壁には第三搬送筒軸が回転可能に装着され、前記第三搬送筒軸には第一プーリが固定的に装着され、前記清掃盤軸には第二プーリが固定的に装着され、前記第二プーリと前記第一プーリとの間にはベルトが伝動可能に装着され、前記第三搬送筒軸には第三搬送筒が固定的に装着され、前記清掃空間の頂壁には第四搬送筒が回転可能に装着され、前記第四搬送筒と前記第三搬送筒との間には清掃ベルトが伝動可能に装着され、前記清掃ベルトには清掃板が固定的に装着されている。
【００１０】
上記の技術的解決策の上で、前記搬送機構はさらに搬送モータを含み、前記搬送モータは前記搬送空間の後側内壁の中に固定的に装着され、前記搬送モータの出力軸には第一プーリ軸が固定的に装着され、前記第一プーリ軸と前記第一搬送筒とは固定的に連結され、前記搬送空間の後側には第一歯車空間が設置され、前記第一歯車空間と前記搬送空間との間には第二プーリ軸が回転可能に装着され、前記第二プーリ軸と前記第二搬送筒とは固定的に連結され、前記移動筐体の一側面にはガイド板が固定的に装着され、前記搬送空間の前後内壁の間にはガイド輪が回転可能に装着され、前記搬送ベルトは前記ガイド輪に巻かれている。
【００１１】
上記の技術的解決策の上で、前記第二プーリ軸には刮げ板が回転可能に装着され、前記刮げ板と前記移動筐体との間には引張ばねが固定的に装着され、前記刮げ板には引き線が固定的に装着され、前記引き線には円環が固定的に装着され、前記移動筐体の一側面にはフックが固定的に装着され、前記円環は前記フックに掛けられる。
【００１２】
上記の技術的解決策の上で、前記第一歯車空間と前記搬送空間との間には清掃筒軸が回転可能に装着され、前記清掃筒軸と前記清掃筒とは固定的に連結され、前記清掃筒軸には第一歯車が固定的に装着され、前記第一歯車空間の前後内壁の間には中間歯車が回転可能に装着され、前記中間歯車と前記第一歯車とは噛み合い、前記第二プーリ軸には第二歯車が固定的に装着され、前記第二歯車と前記中間歯車とは噛み合っている。
【００１３】
上記の技術的解決策の上で、前記汚物収納車には連結ヘッドが摺動可能に装着され、前記移動筐体の一側面には前記移動筐体の外側面と連通する連結空間が設置され、前記連結空間の底面には連結ピンが固定的に装着され、前記連結ヘッドは前記連結ピンに掛けられる。
【００１４】
上記の技術的解決策の上で、前記移動機構は第二歯車空間を含み、前記第二歯車空間は前記移動筐体の前後側面に前後対称に設置され、前記第二歯車空間の内壁の中には移動モータが固定的に装着され、前記移動モータの出力軸には移動歯車が固定的に装着され、前記ガイドレールにはラックが設置され、前記移動歯車と前記ガイドレールにあるラックとは噛み合っている。
【発明の効果】
【００１５】
本願発明は以下のプラス効果を有する：本願発明は家畜を柵に囲んで飼育するときに、人力による操作に代わって、自動的に家畜舎の内部に糞尿などの汚物を清掃処理でき、随時に家畜舎を清掃できる同時に、飼育された家畜に影響を与えないく、
また、柵に囲まれた空間は調整でき、清掃に便利であり、かつ人力清掃と比べて、毎回の清掃区域はより広く、清掃効果もより優れ、家畜舎内の汚物を清掃し終えた後に、自動的に汚物を汚物収納車に送り、排出に便利を与え、普及に値する。
【図面の簡単な説明】
【００１６】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の全体構成略図
【図２】図２は本願発明の上面構成略図
【図３】図３は図１におけるＡ―Ａ方向からの断面構成略図
【図４】図４は図２におけるＢ―Ｂ方向からの断面構成略図
【発明を実施するための形態】
【００１８】
図１〜４を参照し、本願発明の家畜舎の清掃に便利な牧畜隔離柵の実施例は、前後対称に地面に固定的に装着された固定柵１１を含み、前後両側の前記固定柵１１の間には中間隔離板３４が固定的に装着され、前記中間隔離板３４には仕切門３５がヒンジで装着され、前記仕切門３５を開ければ前記中間隔離板３４の左右両側を連通させられ、前記中間隔離板３４の左右両側にある家畜の活動に便利を与えられ、前記固定柵１１の底面にはガイドレール１０が前後対称にかつ固定的に装着され、前後の前記ガイドレール１０には移動筐体１３が左右対称にかつ摺動可能に装着され、左右の前記移動筐体１３には移動柵１２が固定的に装着され、前記移動柵１２は前記中間隔離板３４の方向へ移動するときに、家畜を前記中間隔離板３４の他側へ追い払うことができ、前記移動筐体１３の一側面には清掃空間３８が設置され、前記清掃空間３８の中には地面を清掃できる清掃機構８０が設置されている。
【００１９】
前記清掃機構８０は清掃盤４０を含み、前記清掃盤４０は前記清掃空間３８の中に前後対称にかつ回転可能に装着され、前記清掃盤４０には清掃ブラシ４１が設置され、前記清掃盤４０は前記清掃ブラシ４１を駆動して回転させ、前記清掃ブラシに地面についた汚物を清掃させられ、前記移動筐体１３の中には前記清掃空間３８と連通する搬送空間１７が設置され、前記搬送空間１７の中には地面の汚物を搬送できる搬送機構８１が設置されている。
【００２０】
前記搬送機構８１は清掃筒軸３１を含み、前記清掃筒軸３１は前記搬送空間１７の中に回転可能に設置され、前記清掃筒軸３１には掃除ブラシ３３が設置され、前記搬送空間１７の中には第一搬送筒１８と第二搬送筒２７とが回転可能に装着され、前記第一搬送筒１８と前記第二搬送筒２７との間には搬送ベルト５３が伝動可能に装着され、前記清掃筒軸３１が前記掃除ブラシ３３を駆動して回転させるときに、地面の汚物は前記搬送ベルト５３に送られ、前記移動筐体１３の一側面には汚物収納車２１がヒンジで装着され、前記搬送ベルト５３は汚物を前記汚物収納車２１に送って収集し、そして送り出し、前記移動筐体１３には前記移動筐体１３を駆動して左右に移動させられる移動機構８２が設置されている。
【００２１】
また、一つの実施例において、前記清掃機構８０はさらに清掃モータ５７を含み、前記清掃モータ５７は前記清掃空間３８の頂壁の中に前後対称にかつ固定的に装着され、前記清掃モータ５７の出力軸には清掃盤軸４３が固定的に装着され、前記清掃盤軸４３は前記清掃盤４０と固定的に連結され、
清掃モータ５７を作動させ、清掃モータ５７は清掃盤軸４３を駆動して回転させ、清掃盤軸４３の回転は清掃盤４０と清掃ブラシ４１とを駆動して回転させ、固定柵１１の片隅に近い汚物を清掃する。  
【００２２】
また、一つの実施例において、前記清掃空間３８の頂壁には第三搬送筒軸４５が回転可能に装着され、前記第三搬送筒軸４５には第一プーリ４８が固定的に装着され、前記清掃盤軸４３には第二プーリ４２が固定的に装着され、前記第二プーリ４２と前記第一プーリ４８との間にはベルト４４が伝動可能に装着され、前記第三搬送筒軸４５には第三搬送筒４７が固定的に装着され、前記清掃空間３８の頂壁には第四搬送筒４９が回転可能に装着され、前記第四搬送筒４９と前記第三搬送筒４７との間には清掃ベルト５０が伝動可能に装着され、前記清掃ベルト５０には清掃板５１が固定的に装着され、
清掃盤軸４３が第二プーリ４２を駆動して回転させるとき、第二プーリ４２は第一プーリ４８を駆動して回転させ、第一プーリ４８の回転は第三搬送筒４７を駆動して回転させ、第三搬送筒４７の回転は清掃ベルト５０と清掃板５１とを駆動して地面をこすって洗い、同時に地面の汚物を搬送空間１７の中へ搬送する。
【００２３】
また、一つの実施例において、前記搬送機構８１はさらに搬送モータ５２を含み、前記搬送モータ５２は前記搬送空間１７の後側内壁の中に固定的に装着され、前記搬送モータ５２の出力軸には第一プーリ軸１９が固定的に装着され、前記第一プーリ軸１９と前記第一搬送筒１８とは固定的に連結され、前記搬送空間１７の後側には第一歯車空間６０が設置され、前記第一歯車空間６０と前記搬送空間１７との間には第二プーリ軸２８が回転可能に装着され、前記第二プーリ軸２８と前記第二搬送筒２７とは固定的に連結され、前記移動筐体１３の一側面にはガイド板２０が固定的に装着され、前記搬送空間１７の前後内壁の間にはガイド輪２６が回転可能に装着され、前記搬送ベルト５３は前記ガイド輪２６に巻かれ、
搬送モータ５２を作動させるとき、搬送モータ５２は第一プーリ軸１９を駆動して回転させ、第一プーリ軸１９の回転は第一搬送筒１８を駆動して回転させ、そして搬送ベルト５３にある汚物を汚物収納車２１に送る。
【００２４】
また、一つの実施例において、前記第二プーリ軸２８には刮げ板３０が回転可能に装着され、前記刮げ板３０と前記移動筐体１３との間には引張ばね２９が固定的に装着され、前記刮げ板３０には引き線１６が固定的に装着され、前記引き線１６には円環１５が固定的に装着され、前記移動筐体１３の一側面にはフック１４が固定的に装着され、前記円環１５は前記フック１４に掛けられ、
汚物を搬送する必要がないとき、円環１５を引いてフック１４に掛け、引き線１６は刮げ板３０を引いて地面に接触させないようにし、搬送するとき、円環１５をフック１４から取り外し、刮げ板３０は引張ばね２９の引っ張りで地面と接触し、汚物の搬送に便利を与える。
【００２５】
また、一つの実施例において、前記第一歯車空間６０と前記搬送空間１７との間には清掃筒軸３１が回転可能に装着され、前記清掃筒軸３１と前記清掃筒３２とは固定的に連結され、前記清掃筒軸３１には第一歯車５６が固定的に装着され、前記第一歯車空間６０の前後内壁の間には中間歯車５５が回転可能に装着され、前記中間歯車５５と前記第一歯車５６とは噛み合い、前記第二プーリ軸２８には第二歯車５４が固定的に装着され、前記第二歯車５４と前記中間歯車５５とは噛み合い、
第一搬送筒１８が回転して第二搬送筒２７を駆動して回転させ、第二搬送筒２７の回転は第二歯車５４を駆動して回転させ、第二歯車５４の回転は第一歯車５６を駆動して回転させ、第一歯車５６の回転は清掃筒３２と掃除ブラシ３３とを駆動して回転させ、地面の汚物を搬送ベルト５３に送る。
【００２６】
また、一つの実施例において、前記汚物収納車２１には連結ヘッド２４が摺動可能に装着され、前記移動筐体１３の一側面には前記移動筐体１３の外側面と連通する連結空間２２が設置され、前記連結空間２２の底面には連結ピン２３が固定的に装着され、前記連結ヘッド２４は前記連結ピン２３に掛けられ、
汚物が汚物収納車を満たしたあと、連結ヘッド２４を連結ピン２３から取り外す。
【００２７】
また、一つの実施例において、前記移動機構８２は第二歯車空間３６を含み、前記第二歯車空間３６は前記移動筐体１３の前後側面に前後対称に設置され、前記第二歯車空間３６の内壁の中には移動モータ３９が固定的に装着され、前記移動モータ３９の出力軸には移動歯車３７が固定的に装着され、前記ガイドレール１０にはラックが設置され、前記移動歯車３７と前記ガイドレール１０にあるラックとは噛み合い、
地面を清掃するとき、仕切門３５を開け、移動モータ３９を作動させ、移動モータ３９は移動歯車３７を駆動して回転させ、移動歯車３７の回転は移動筐体１３に移動柵１２を駆動して移動させ、家畜を中間隔離板３４の他側へ追い払う。
【００２８】
地面を清掃するとき、円環１５をフック１４から取り外し、刮げ板３０は引張ばね２９の引っ張りで地面と接触し、仕切門３５を開け、移動モータ３９を作動させ、移動モータ３９は移動歯車３７を駆動して回転させ、移動歯車３７の回転は移動筐体１３に移動柵１２を駆動して移動させ、家畜を中間隔離板３４の他側へ追い払い、移動筐体１３と移動柵１２とが移動するとき、清掃モータ５７を作動させ、清掃モータ５７は清掃盤軸４３を駆動して回転させ、清掃盤軸４３の回転は清掃盤４０と清掃ブラシ４１とを駆動して回転させ、固定柵１１の片隅に近い汚物を清掃し、清掃盤軸４３が第二プーリ４２を駆動して回転させるとき、第二プーリ４２は第一プーリ４８を駆動して回転させ、第一プーリ４８の回転は第三搬送筒４７を駆動して回転させ、第三搬送筒４７の回転は清掃ベルト５０と清掃板５１とを駆動して地面をこすって洗い、同時に地面の汚物を搬送空間１７の中へ搬送し、
搬送モータ５２を作動させ、搬送モータ５２は第一搬送筒１８を駆動して回転させ、第一搬送筒１８が回転して第二搬送筒２７を駆動して回転させ、第二搬送筒２７の回転は第二歯車５４を駆動して回転させ、第二歯車５４の回転は第一歯車５６を駆動して回転させ、第一歯車５６の回転は清掃筒３２と掃除ブラシ３３とを駆動して回転させ、地面の汚物を搬送ベルト５３に送り、伝送モータ５２は第一プーり軸１９を駆動して回転させ、第一プーリ軸１９の回転は第一搬送筒１８を駆動して回転させ、そして搬送ベルト５３にある汚物を汚物収納車２１に送り、汚物が汚物収納車を満たしたあと、連結ヘッド２４を連結ピン２３から取り外し、汚物の送り出しに便利である。
【００２９】
本願発明は以下のプラス効果を有する：本願発明は家畜を柵に囲んで飼育するときに、人力による操作に代わって、自動的に家畜舎の内部に糞尿などの汚物を清掃処理でき、随時に家畜舎を清掃できる同時に、飼育された家畜に影響を与えなく、
また、柵に囲まれた空間は調整でき、清掃に便利であり、かつ人力清掃と比べて、毎回の清掃区域はより広く、清掃効果もより優れ、家畜舎内の汚物を清掃し終えた後に、自動的に汚物を汚物収納車に送り、排出に便利を与え、普及に値する。
【００３０】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】
【課題】本願は家畜舎の清掃に便利な牧畜隔離柵を開示した。
【解決手段】
本願は家畜舎の清掃に便利な牧畜隔離柵を開示し、前後対称に地面に固定的に装着された固定柵を含み、前後両側の前記固定柵の間には中間隔離板が固定的に装着され、前記中間隔離板には仕切門がヒンジで装着され、前記仕切門を開ければ前記中間隔離板の左右両側を連通させられ、本願発明は家畜を柵に囲んで飼育するときに、人力による操作に代わって、自動的に家畜舎の内部に糞尿などの汚物を清掃処理でき、随時に家畜舎を清掃できる同時に、飼育された家畜に影響を与えなく、また、柵に囲まれた空間は調整でき、清掃に便利であり、かつ人力清掃と比べて、毎回の清掃区域はより広く、清掃効果もより優れる。
【選択図】図１【図１】
0006764066.tif 000002
【図２】
0006764066.tif 000003
【図３】
0006764066.tif 000004
【図４】
0006764066.tif 000005